(57)【特許請求の範囲】
【請求項１】
バルーン型胃バンドにおいて、
バルーンと、
前記バルーンに固定されたベルトと、
を含み、
前記バルーンは、外部診断ツールによる手術後の可視化および外科処置中におけるその時点での可視化を可能にさせる、少なくとも一つの放射線不透過性でかつ着色された部分であって、前記着色が少なくともその表面に存在する部分と、少なくとも一つの透明な部分とを含み、
前記少なくとも一つの放射線不透過性でありかつ着色された部分は、患者の体内に置かれたときに周囲の組織と前記バルーンを対比させ、前記少なくとも一つの透明な部分は、前記バルーン内の漏れの確認を容易にする、バルーン型胃バンド。
【請求項２】
請求項１に記載のバルーン型胃バンドにおいて、
前記少なくとも一つの放射線不透過性でかつ着色された部分は、螺状線を含む、バルーン型胃バンド。
【請求項３】
請求項１に記載のバルーン型胃バンドにおいて、
前記少なくとも一つの放射線不透過性でかつ着色された部分は、縞を含む、バルーン型胃バンド。
【請求項４】
請求項１に記載のバルーン型胃バンドにおいて、
前記少なくとも一つの放射線不透過性でかつ着色された部分は、着色されたパッド印刷部を含む、バルーン型胃バンド。
【請求項５】
請求項１に記載のバルーン型胃バンドにおいて、
前記バルーンの側方で対向する側面に、放射線不透過性でかつ着色された部分が設けられている、バルーン型胃バンド。
【請求項６】
バルーン型胃バンドにおいて、
バルーンと、
前記バルーンに固定されたベルトと、
を含み、
前記バルーンまたは前記ベルトのうち少なくとも一方は、透明であり、他方は、放射線不透過性でかつ着色されており、前記他方の前記着色は少なくともその表面に存在して、外部診断ツールによる手術後の可視化および外科処置中におけるその時点での可視化を可能にさせる、バルーン型胃バンド。
【請求項７】
請求項６に記載のバルーン型胃バンドにおいて、
前記ベルトは、透明であり、
前記バルーンは、着色されている、バルーン型胃バンド。
【請求項８】
請求項６記載のバルーン型胃バンドにおいて、
前記バルーンは、透明であり、
前記ベルトは、着色されている、バルーン型胃バンド。
【請求項９】
バルーン型胃バンドにおいて、
バルーンと、
前記バルーンに固定されたベルトと、
を含み、
前記バルーンは、透光性のままであるが少なくともその表面が着色されており、放射線不透過性の造影剤が混合されている材料で構成され、外部診断ツールによる手術後の可視化および外科処置中におけるその時点での可視化を可能にさせ、
前記ベルトは、透明である、バルーン型胃バンド。
【発明の詳細な説明】
【開示の内容】
【０００１】
〔発明の背景〕
１．発明の分野
本発明は、隣接する組織との色のコントラストを提供するための機構を有する胃バンドに関する。
【０００２】
２．関連技術の説明
病的肥満は、深刻な医学的症状である。実際に、病的肥満は、アメリカ合衆国や他の国において非常に広まっており、その傾向は、悪い方向に向かっているように思われる。病的肥満と関連した合併症としては、平均余命を著しく縮める、高血圧症、糖尿病、冠動脈疾患、発作、うっ血性心不全症、多くの整形外科的問題、および、肺機能不全が挙げられる。このことを念頭に置いた上で、かつ、当業者であれば確実に理解するであろうが、病的肥満と関連した金銭的および物理的なコストは、相当なものである。実際に、肥満と関連したコストは、アメリカ合衆国のみでも１０００億ドルを超えると推定される。
【０００３】
肥満を治療するために様々な外科的処置が開発された。最も一般的に現在行われている処置は、ルーＹ胃バイパス術（Roux-en-Y gastric bypass）（ＲＹＧＢ）である。この処置は非常に複雑であり、一般的には病的肥満を示す人々を治療するために利用されている。他の形態の肥満症手術としては、フォビ嚢（Fobi pouch）、胆膵路転換手術（bilio-pancreatic diversion）、および、胃形成術（gastroplastic）、または「胃ステープル留め（stomach stapling）」が挙げられる。加えて、胃を通る食物の通過を制限し、満腹感に影響を与える植え込み可能な装置が知られている。
【０００４】
これら処置の多くは侵襲性が高いことを鑑みて、低外傷性および低侵襲性の処置を開発する努力がなされてきた。胃バンド法は、これら方法のうちの１つである。胃バンド法は、胃の大きさを減少させることにより食物摂取量を制限しようとする胃縮小手術の１種である。ＲＹＧＢおよび他の胃縮小処置とは対照的に、胃バンド法は、十二指腸または空腸の中の消化管の解剖学的構造の変更を必要としない。
【０００５】
１９８０年代初頭から、胃バンドは、病的肥満に対する胃バイパスおよび他の不可逆的な外科的減量治療の有効な代替手段となっている。幾つかの代替の処置が、胃バンド法の下で実施されている。あるバンド技術は胃リングを用い、他のバンド技術ではバンドを用い、あるバンド技術では胃ステープルを用い、さらに他の処置では、リング、バンド、およびステープルの組み合わせを用いる。これらの処置の中で、最も一般的に行われているのは、垂直遮断胃形成術（vertical banded gastroplasty）（ＶＢＧ）、シラスティックリング胃形成術（ＳＲＧ）、および、調節可能なシラスティック胃バンド法（ＡＧＢ）である。
【０００６】
一般に、胃バンドは、患者の胃の上方部分の周りに巻き付けられ、胃の通常の内径よりも小さな小孔を形成する。この小孔は、胃の上方部分から下方消化部分に流れる食物を制限する。小孔が適当な大きさである場合、胃の上方部分内に保持された食物は、過食を妨げる満腹感をもたらす。
【０００７】
より詳細には、また実際には、胃バンドは胃の後ろに挿入され、胃バンドの端部が連結されて胃の周りで装置を締める。しかしながら、このようなことが行われている際には、多くの場合、胃バンドを可視化することが難しい。したがって、胃バンドが患者の胃の周りに固定されている際に胃バンドを可視化する能力を改善するための機構に対する必要性が存在する。本発明はそのような機構を提供する。
【０００８】
〔発明の概要〕
したがって、バルーン型胃バンドを提供することが本発明の目的であり、このバルーン型胃バンドは、バルーン、およびこのバルーンに固定されたベルトを含む。バルーンは、患者の体内に置かれたときに周囲の組織とバルーンを対比させる（contrasting）ための、少なくとも一つの着色された部分、および、バルーン内の漏れの確認を容易にするための、少なくとも一つの透明な部分の双方を含む。
【０００９】
少なくとも一つの着色された部分が螺状線を含む、バルーン型胃バンドを提供することも、本発明の目的である。
【００１０】
少なくとも一つの着色された部分が放射線不透過性である、バルーン型胃バンドを提供することは、本発明の別の目的である。
【００１１】
少なくとも一つの着色された部分が縞を含む、バルーン型胃バンドを提供することは、本発明のさらなる目的である。
【００１２】
少なくとも一つの着色された部分が、着色されたパッド印刷部を含む、バルーン型胃バンドを提供することも、本発明の別の目的である。
【００１３】
バルーン、およびバルーンに固定されたベルトを含むバルーン型胃バンドであって、バルーンもしくはベルトのうち少なくとも一方が透明で、他方が着色されている、バルーン型胃バンドを提供することは、本発明のさらに別の目的である。
【００１４】
ベルトが透明で、バルーンが着色されている、バルーン型胃バンドを提供することも、本発明の目的である。
【００１５】
バルーンが透明で、ベルトが着色されている、バルーン型胃バンドを提供することも、本発明のさらなる目的である。
【００１６】
バルーン、およびバルーンに固定されたベルトを含むバルーン型胃バンドであって、バルーンは透光性（translucent）のままであるが、着色されている、バルーン型胃バンドを提供することは、本発明のさらに別の目的である。
【００１７】
供給管が、その内部に組み込まれた造影剤を含む、バルーン型胃バンドを提供することも、本発明の目的である。
【００１８】
造影剤が放射線不透過性である、バルーン型胃バンドを提供することは、本発明の別の目的である。
【００１９】
本発明の他の目的および利点は、添付の図面と共に見れば、本発明の特定の実施形態を説明している以下の詳細な説明から明らかになるであろう。
【００２０】
〔好ましい実施形態の説明〕
本発明の詳細な実施形態が本明細書に開示される。しかしながら、開示される実施形態は本発明の単なる例示であり、様々な形態で実施することができるということが理解されるべきである。したがって、本明細書に開示される詳細は、限定するものとして解釈すべきではなく、単に、本発明の製造方法および／または利用方法を当業者に教示するための基として、解釈すべきである。
【００２１】
図１および図２を参照すると、本発明の好適な実施形態に従ってバルーン型胃バンド１０が開示されている。胃バンド１０は一般に、補強ベルト１２で構成されており、この補強ベルト１２には細長いバルーン１４が固定されている。ベルト１２は、第１の端部１６、および第２の端部１８を含み、第１の端部１６には第１のラッチ部材２２が、第２の端部１８には第２のラッチ部材２６がそれぞれ固定されている。好適な実施形態によれば、第１のラッチ部材２２、および第２のラッチ部材２６は、選択的に係合するように成形され、かつ寸法が決められており、２００５年７月１５日に出願された、所有者が共通の米国特許出願第１１／１８２，０７２号（名称「胃バンドのためのラッチ装置（Latching Device for Gastric Band）」）に開示されたものと同じであり、この米国特許出願は、参照することにより本明細書に組み込まれる。
【００２２】
好適な実施形態によれば、ベルト１２、およびバルーン１４は、２００６年３月１日に出願された、所有者が共通の米国特許出願第１１／３６４，３６１号（名称「胃バンド（Gastric Band）」）に開示されたとおりに構成されており、この米国特許出願は、参照することにより本明細書に組み込まれる。一般に、ベルト１２は、内面２８、および外面３０をさらに含む。この外面３０は、ほぼ滑らかであり、図１に示されるように胃バンド１０が患者の胃１１の周りに固定されると胃バンド１０の外面３１の相当部分を形成する。ベルト１２の内面２８は、バルーン１４の外面３８に取り付けられるように成形され、かつ寸法が決められている。
【００２３】
また、バルーン１４に関しては、第１の端部３２、第２の端部３４、内面３６、および外面３８を含む。内面３６は、ほぼ滑らかであり、胃バンド１０が患者の胃に固定されると患者の胃に係合するように成形され、かつ寸法が決められている。バルーン１４の外面３８は、ベルト１２の内面２８と連結するように成形され、かつ寸法が決められている。
【００２４】
胃バンド１０がどのように成型されるか、もしくはどのように一つに組み立てられるかにかかわらず、ベルト１２、およびバルーン１４という構成要素は、同じ材料、または異なる材料（材料デュロメーター、ＢａＳＯ４、ＴｉＯ２などの充填剤、着色料など）から成ることができる。加えて、構成要素内部の特徴部（例えば、ラッチ組立体の第１および第２のラッチ部材）の組成は、多様であってもよい。これらの特徴部は、接着剤、機械的固着（すなわち、スナップ嵌め（snap fits））、溶接、共成型（co-molding）、もしくはオーバーモールドにより、製品の残部に付着されうる。ベルト１２は、バルーン１４の外面３８に固定されているところが開示されているが、ベルト１２は、本発明の趣旨から逸脱することなく、バルーン表面の内側もしくは外側にあるか、またはバルーンに統合されてよいことが企図される。
【００２５】
本発明の胃バンド１０のバルーン１４は、胃バンド１０が胃の周りに固定されている間に、このバルーンが隣接する組織と視覚的にコントラストをなすように設計されるが、光学的に透光性でもある。隣接する組織とコントラストをなし、かつ光学的には透光性であるバルーン１４を設けることによって、医師は、双方の特徴の利点を得ることができる。特に、バルーン１４の対比色（contrast color）は、処置中のバルーン１４の可視化、そして最終的には胃バンド１０の可視化を改善する。加えて、着色剤（color agent）は、放射線不透過性であってよく、手術後の胃バンド１０の監視を可能にする。バルーンが光学的に透光性であるという事実により、医師は、従来の方法で漏れを容易に調べることができる。
【００２６】
好適な実施形態に従って、また、図２を参照すると、バルーン１４は、乳白色の対比色であるが、透光性であり、バルーン１４の内側を見ることができると共に、組織に隣接して置かれるとコントラストをなす色（contrasting color）を作り出すようになっている。本開示内容によれば、「乳白色（milky color）」という用語は、完全に透明なフィルムの透光性の特性を維持しつつ、色（すなわち、際立って特徴的な色素）を呈する、バルーン１４を説明するために用いられることが理解されなければならない。バルーン１４の、コントラストをなす色の程度は、バルーン１４が構成される材料の中に混合された、ＢａＳＯ４、ＴｉＯ２、もしくはＴａなどの多くの異なる造影剤のうち一つにより制御される。この点を考慮して、図３に示される代替的実施形態を参照すると、バルーン１１４には、より多くの造影剤が入れられていてよく、結果としてバルーン１１４は、図２に示されたバルーン１４と比べると、より暗い色を呈する。加えて、バルーン１４、１１４いずれも放射線不透過性充填剤材料を含んでもよいし、含まなくてもよい。
【００２７】
胃バンドが胃の周りに固定されている際に、隣接する組織とのコントラストを生じるバルーンの色に加えて、対比色はまた、製造用加工品（manufacturing artifacts）、例えば、組立体に必要な接着剤、パーティングライン（parting lines）、証拠線（witness lines）、および／もしくは組立体特徴部などを隠すように機能する。例えば、図４に関して示された実施形態を参照すると、バルーン１１３のコントラストは、想像線で示されているベルト１１２を隠すのに役立ち、より美学的に望ましい構造をもたらす。
【００２８】
図５、図６、および図７に示された様々な他の実施形態を参照すると、バルーン２１４、３１４、４１４は、透明な部分２５０、３５０、４５０、およびコントラストをなす、着色された（例えば、白く放射線不透過性の）部分２５２、３５２、４５２の双方を含むようにそれらバルーンを処理することにより、コントラスト機構を備えている。コントラストをなす、着色された部分２５２、３５２、４５２は、らせん状にされていてもよく（図５参照）、縞模様であってもよく（図６および図７参照）、あるいは、透明な基質、すなわちバルーン２５４、３５４、４５４の基材の上に別様に独自に形成されてもよい。例えば、図７を参照して、バルーン４１４が収縮したときに、白い、着色された部分４５２の縞がバルーン４１４の縁４５３、すなわち、バルーン４１４の、側方で対向する側面にくるようにこれらの縞が配されると、外科医は、バルーンが収縮した場合に、組織に接するバルーンの縁４５３を見ることができるが、バルーン４１４は、残りの透明な部分４５０に起因して、依然として根本的には透明であろう。
【００２９】
透明な部分２５０、３５０、４５０は、バルーン２１４、３１４、４１４の比較的透き通った部分であり、医師が処置中に従来の方法でバルーン２１４、３１４、４１４の漏れもしくは気泡を調べることを可能にする。当業者であれば理解されるように、この透明な部分２５０、３５０、４５０の透明度は多様であってよいが、医師が従来の方法で漏れについてバルーン２１４、３１４、４１４の内部構造を監視することができるように、結局は十分に透き通るであろう。
【００３０】
放射線不透過性の白く着色された部分２５２、３５２、４５２は、バルーン２１４、３１４、４１４の漏れ、またはバルーン２１４、３１４、４１４が構造的に無傷のままであるかを評価するために非侵襲的診断ツールとして手術後に用いられる。この着色された部分２５２、３５２、４５２は、処置中の可視化を改善することもできる。本発明の好適な実施形態に従って、白い、着色された部分が本明細書に開示されているが、この着色された部分は、本発明の趣旨から逸脱することなく、様々な色および色相を呈することができることを当業者は理解するであろう。しかし、一般に、様々な適用に従って用いるために選択される特定の色は、外部診断ツールによる手術後の可視化であれ、外科処置中におけるバルーン２１４、３１４、４１４の、その時点での可視化（actual visualization）であれ、可視化を促進するように選択されなければならない。
【００３１】
図５、図６、および図７の実施形態に関して示される、コントラストをなす、白い、着色された部分２５２、３５２、４５２、および透明な部分２５０、３５０、４５０は、共押出し、組み立て、パッド印刷、オーバーモールドによりバルーンにおいて組み合わせられるか、または（乳白色のバルーンの場合には）基材中に組み合わせられて、任意の従来の成型方法で用いられることが企図される。
【００３２】
透明な部分と、コントラストをなす、白い、着色された部分との組み合わせを含むことに加えて、バルーン５１４は、（図８に示されるような）第３の色のパッド印刷部５５２も含むことができる。パッド印刷部５５２は、例えば、製品名、もしくは外科医への指示といった字句（text）から成る。隣接する組織とバルーンを対比させるのに役立つ着色された部分を作製するのに用いられる造影剤に加えて、造影剤は、他の機能性、例えばＭＲＩでの可視性、潤滑性、信頼性特性、改善された接着結合特性および／または抗菌性特性を組み込むこともできる。当業者であれば確実に理解されるように、パッド印刷部は、図１、図２、図３、もしくは図４に関して示されたようなコントラストをなす色、または図５、図６、および図７に関して示された透明な部分および着色された部分と組み合わせられてもよい。
【００３３】
代替的実施形態によれば、また、図９および図１０を参照して、ベルト６１２は、コントラストをなす色で構成されることができ、バルーン６１４は、完全に透明にされうる。このシナリオでは、ベルト６１２は、手術後の診断法（ならびに胃の縫合中の視覚的フィードバック）のために放射線不透過性物質を含み、バルーン６１４は、透明であり、バルーンの中を見ることを可能にするであろう。あるいは、図１１を参照すると、ベルト７１２は透明であってよく、バルーン７１４は、切れ目のない、コントラストをなす色（solid contrasting color）であってよい。このようなシナリオでは、バルーン７１４はまた、放射線不透過性物質を含み、手術後の診断法（ならびに胃の縫合中の視覚的フィードバック）のために使用されてよく、ベルト７１２は、外科医がベルト７１２の内側を見ることを可能にするための、胃バンド７１０の光学的に透光性の部分であろう。
【００３４】
前述した実施形態のそれぞれにおいて、胃バンドの、コントラストをなす、着色された部分は、放射線不透過性であってもよいし、放射線不透過性でなくてもよい。着色された部分が放射線不透過性である場合、胃バンドは、透明な部分もしくは材料の透光性の性質により、適用処置前、もしくは適用処置中に医師がバルーンの漏れを可視化することを可能にし、一方、放射線不透過性の着色された部分、もしくは放射線不透過性の乳白色バルーンは、（バルーンの漏れもしくは侵食を評価するための）非侵襲的診断法を手術後に可能にする。
【００３５】
本発明の好適な実施形態によれば、ベルト、およびバルーンは、胃バンドの製造に一般的に用いられる生体適合性材料、例えばシリコーンから製造されるが、様々なポリマーが、本発明の趣旨から逸脱することなく胃バンドの製造に用いられうることを、当業者は理解するであろう。
【００３６】
どの実施形態が利用されるかにかかわらず、バルーンは、胃壁に当てられると胃壁との接触を強めるように構成される。この点を考慮して、バルーンは、２００６年３月１日に出願された、所有者が共通の米国特許出願第１１／３６４，３６３号（名称「予め湾曲させられた胃バンド（Precurved Gastric Band）」）に開示されるように、予め湾曲させられた、低圧で高容量のバルーンとして構成され、この米国特許出願は、参照することにより本明細書に組み込まれる。バルーンは、胃組織に当てられた場合に柔らかく柔軟な表面（低圧）を保つように構成される。バルーンは、組織を挟むこと、または胃の形状が不連続になることを防止するために３６０°の適用範囲を提供するようにも構成され、したがって、２００５年７月１５日に出願された、所有者が共通の米国特許出願第１１／１８２，０７０号（名称「結合端部外形を備えた胃バンド（GASTRIC BAND WITH MATING END PROFILES）」）に開示されたバルーンの構成を採用することができ、この米国特許出願は、参照することにより本明細書に組み込まれる。このバルーンは、「重なり（fold）」が最小の状態で、バルーンが十分に膨張した包囲形状に達するようにさらに構成されている。加えて、バルーンは、すべての流体がバルーンから吸い出されたときに、いかなる重なりもしくは折り目も呈することのないように構成される（二軸ではなく一軸）。
【００３７】
当業者であれば確実に理解されるように、図１を参照すると、供給管５０が用いられて胃バンド１０のバルーン１４の内部キャビティを流体注入ポート５２、例えば速度ポート（velocity port）と接続している。遠隔流体注入源５２と共に供給管５０を用いることにより、予め決められた方法でバルーン１４の膨張および収縮を制御することが可能になる。外科医は、胃バンド１０のロックおよび／または他の操作の間に管材料（tubing）が視覚的な障害物になることを望まないので、供給管５０の正確な位置は重要である。加えて、いったん胃バンド１０の設置が完了したら、供給管５０は、周囲組織に対する刺激（例えば、肝臓または脾臓を直接突き刺すこと）を引き起こしてはならない。外科医は、後方胃トンネル（retro-gastric tunnel）を通して供給管５０を引っ張ることも望まない。これは、組織が損傷を受けているかどうかを外科医が容易に見ることができないからである。供給管５０はまた、胃バンド１０の操作のための安全な把持場所の役目を果たすことができなければならず、供給管５０は、胃バンド１０への接合部でよじれてはならないし、また流体の流れを妨げてもならず、供給管の場所は、小さなトロカールを胃バンド１０が通過することを容易にしなければならない。
【００３８】
本発明の様々な好適な実施形態に従って、２００６年３月１日に出願された、所有者が共通の米国特許出願第１１／３６４，３６２号（名称「胃バンド（Gastric Band）」）、に開示されているように、チューブの異なる設置が採用されてよく、この米国特許出願は、参照することにより本明細書に組み込まれる。
【００３９】
本発明は胃バンドと共に使用するように記載しているが、当業者であれば、本発明を他のタイプの移植用バンドに等しく適用できることを理解できよう。例えば、バンドは、大便失禁の治療に用いることができる。このようなバンドは、米国特許第６，４６１，２９２号明細書に開示されている。バンドは尿失禁の治療に用いることもできる。このようなバンドは、米国特許出願公開第２００３／０１０５３８５号明細書に開示されている。バンドはまた、胸焼けおよび／または胃酸の逆流の治療に用いることもできる。このようなバンドは、米国特許第６，４７０，８９２号明細書に開示されている。バンドはまた、インポテンスの治療に用いることもできる。このようなバンドは、米国特許出願公開第２００３／０１１４７２９号明細書に開示されている。
【００４０】
好適な実施形態を図示および説明してきたが、このような開示によって本発明を限定することを意図するものではなく、むしろ、本発明の精神および範囲内に含まれる全ての変更形態および代替の構造を包含するものであることを理解されたい。
【００４１】
〔実施の態様〕
（１）  バルーン型胃バンドにおいて、
バルーンと、
前記バルーンに固定されたベルトと、
を含み、
前記バルーンは、患者の体内に置かれたときに周囲の組織と前記バルーンを対比させるための、少なくとも一つの着色された部分、および、前記バルーン内の漏れの確認を容易にするための、少なくとも一つの透明な部分の双方を含む、バルーン型胃バンド。
（２）  実施態様１に記載のバルーン型胃バンドにおいて、
前記少なくとも一つの着色された部分は、螺状線を含む、バルーン型胃バンド。
（３）  実施態様２に記載のバルーン型胃バンドにおいて、
前記少なくとも一つの着色された部分は、放射線不透過性である、バルーン型胃バンド。
（４）  実施態様１に記載のバルーン型胃バンドにおいて、
前記少なくとも一つの着色された部分は、縞を含む、バルーン型胃バンド。
（５）  実施態様４に記載のバルーン型胃バンドにおいて、
前記少なくとも一つの着色された部分は、放射線不透過性である、バルーン型胃バンド。
【００４２】
（６）  実施態様１に記載のバルーン型胃バンドにおいて、
前記少なくとも一つの着色された部分は、着色されたパッド印刷部（pad print）を含む、バルーン型胃バンド。
（７）  バルーン型胃バンドにおいて、
バルーンと、
前記バルーンに固定されたベルトと、
を含み、
前記バルーン、または前記ベルトのうち少なくとも一方は、透明であり、他方は、着色されている、バルーン型胃バンド。
（８）  実施態様７に記載のバルーン型胃バンドにおいて、
前記ベルトは、透明であり、
前記バルーンは、着色されている、バルーン型胃バンド。
（９）  実施態様７に記載のバルーン型胃バンドにおいて、
前記バルーンは、透明であり、
前記ベルトは、着色されている、バルーン型胃バンド。
（１０）  バルーン型胃バンドにおいて、
バルーンと、
前記バルーンに固定されたベルトと、
を含み、
前記バルーンは、透光性のままであるが、着色されている、バルーン型胃バンド。
【００４３】
（１１）  実施態様１０に記載のバルーン型胃バンドにおいて、
前記ベルトは、前記ベルト内に組み込まれた造影剤を含む、バルーン型胃バンド。
（１２）  実施態様１１に記載のバルーン型胃バンドにおいて、
前記造影剤は、放射線不透過性である、バルーン型胃バンド。
（１３）  実施態様１０に記載のバルーン型胃バンドにおいて、
前記ベルトは、透明である、バルーン型胃バンド。
【図面の簡単な説明】
【００４４】
【図１】胃の周りに固定されている、本発明に従った胃バンドの斜視図である。
【図２】図１に示された胃バンドの斜視図である。
【図３】本発明に従った胃バンドの代替的実施形態の斜視図である。
【図４】本発明に従った胃バンドのさらに別の実施形態の斜視図である。
【図５】本発明に従った、着色された部分および透明な部分を含む胃バンドのさらなる実施形態の図である。
【図６】本発明に従った、着色された部分および透明な部分を含む胃バンドのさらなる実施形態の図である。
【図７】本発明に従った、着色された部分および透明な部分を含む胃バンドのさらなる実施形態の図である。
【図８】本発明に従った、着色された部分および透明な部分を含む胃バンドのさらなる実施形態の図である。
【図９】本発明のさらに別の実施形態に従った胃バンドの斜視図である。
【図１０】図９の実施形態に従った胃バンドの断面図である。
【図１１】本発明のさらに別の実施形態に従った胃バンドの断面図である。
【図１】
0005474314.tif 000002
【図２】
0005474314.tif 000003
【図３】
0005474314.tif 000004
【図４】
0005474314.tif 000005
【図５】
0005474314.tif 000006
【図６】
0005474314.tif 000007
【図７】
0005474314.tif 000008
【図８】
0005474314.tif 000009
【図９】
0005474314.tif 000010
【図１０】
0005474314.tif 000011
【図１１】
0005474314.tif 000012